(57)【要約】【課題】段ボール箱に収容される商品等の提供者の広告宣伝手段としてだけでなく、該提供者とは異なる者が提供する物品或いは商品或いはサービスに関する広告宣伝機能が付与された構造の実用価値の高い段ボール箱を提供すること。【解決手段】内部に物品或いは商品を収容するための段ボール箱であって、箱の外側の面に、上記物品或いは商品の内容を理解させるための表示欄と、上記物品或いは商品の提供者とは異なる者が提供する、上記表示欄に表示されている物品或いは商品と混同を生じるおそれのない異なる物品或いは商品、又は異なる者のサービスに関する少なくとも１の広告・宣伝欄とが設けられてなることを特徴とする段ボール箱。【選択図】図１
0003125628.tif 000002
【実用新案登録請求の範囲】
【請求項１】
内部に物品或いは商品を収容するための段ボール箱であって、箱の外側の面に、上記物品或いは商品の内容を理解させるための表示欄と、上記物品或いは商品の提供者とは異なる者が提供する、上記表示欄に表示されている物品或いは商品と混同を生じるおそれのない異なる物品或いは商品、又は異なる者のサービスに関する少なくとも１の広告・宣伝欄とが設けられてなることを特徴とする段ボール箱。
【請求項２】
前記物品或いは商品の提供者とは異なる者の、物品或いは商品、又はサービスが、上記表示欄に表示されている物品或いは商品の使用者や取扱者が興味をもつことが予想される物品或いは商品、又は、上記表示欄に表示されている物品或いは商品の使用者や取扱者が利用或いは参加することが予想されるサービスである請求項１に記載の段ボール箱。
【請求項３】
前記物品或いは商品の使用者や取扱者が利用或いは参加することが予想されるサービスが、当該物品或いは商品の保守或いは管理、当該物品或いは商品に関連して必要となる保守或いは管理、当該物品或いは商品に関連するソフトウェアの提供、当該物品或いは商品に関連して生じる運用に関する企画、各種のイベント或いは旅行或いはセミナーの企画、各種学校が提供する授業、飲食物の提供である請求項１又は２に記載の段ボール箱。
【請求項４】
前記広告・宣伝欄が、更に段ボール箱の蓋の内側にも設けられている請求項１〜３の何れか１項に記載の段ボール箱。
【考案の詳細な説明】
【技術分野】
【０００１】
本考案は、内部に収容された物品或いは商品の提供者とは異なる者の物品或いは商品或いはサービスに関する少なくとも１の広告・宣伝欄が設けられてなることで、従来の段ボール箱と比較して広告媒体或いは情報媒体としての価値が増大した実用価値の高い段ボール箱に関する。
【背景技術】
【０００２】
従来より、段ボール箱は、電気製品、食料品、玩具、文房具、書籍、家庭雑貨及び搬送用荷物等、種々の物品或いは商品（以下、商品等と呼ぶこともある）を収納する梱包用及び搬送用の箱として非常に広く利用されている。例えば、製造或いは生産された商品は、製造者或いは生産者から販売者や消費者に届くまでの間、段ボール箱に収容された状態で搬送や保管がされ、場合によっては、販売者や消費者に届いた後も段ボール箱に収容された状態で保管される。又、その後に別の物品を収納して保管箱に転用したり、或いは荷物の運搬用の箱として使用されたりしている。工場等から出される商品の運搬及び販売用の段ボール箱の外側の面には、通常、内部に収容された上記したような商品等の内容を表わす表示欄が設けられている。例えば、段ボール箱に収容されている商品の写真やイメージ図形、収容されている商品の名称や仕様や数量、製造会社や販売会社や生産者名等が表示されている。これに対して、商品の梱包用箱をより有効な広告宣伝媒体として使用することについての提案（特許文献１参照）や、収納箱の蓋裏を広告宣伝に使用することについての提案（特許文献２参照）がある。
【０００３】
しかしながら、上記に挙げた従来の提案は、いずれも段ボール箱に収容される商品等の提供者の、例えば、シリーズ物の商品等、その会社の他の商品に関する宣伝或いは広告するものであり、自社商品の販路拡大を目的としたものであった。
【０００４】
【特許文献１】実用新案登録第３１１６８９１号公報
【特許文献２】実用新案登録第３１０４８８５号公報
【考案の開示】
【考案が解決しようとする課題】
【０００５】
従って、本考案の目的は、段ボール箱に収容される商品等の提供者の広告宣伝手段としてだけでなく、該提供者とは異なる者が提供する物品或いは商品或いはサービスに関する広告宣伝機能が付与された構造の実用価値の高い段ボール箱を提供することにある。更に、本考案の目的は、段ボール箱内に収容される商品等の提供者も、該提供者とは異なる物品或いは商品或いはサービスを提供する者も、段ボール箱の製造・販売業者も、何れもがそれぞれに経済的な効果を得ることができる、全く新しい宣伝広告システムの構築が可能となる新規な段ボール箱を提供することにある。
【課題を解決するための手段】
【０００６】
上記の目的は、以下の本考案によって解決される。即ち、本考案は、内部に物品或いは商品を収容するための段ボール箱であって、箱の外側の面に、上記物品或いは商品の内容を理解させるための表示欄と、上記物品或いは商品の提供者とは異なる者が提供する、上記表示欄に表示されている物品或いは商品と混同を生じるおそれのない異なる物品或いは商品、又は異なる者のサービスに関する少なくとも１の広告・宣伝欄とが設けられてなることを特徴とする段ボール箱である。
【０００７】
上記本考案の好ましい形態としては、上記物品或いは商品の提供者とは異なる者の、物品或いは商品、又はサービスが、上記表示欄に表示されている物品或いは商品の使用者や取扱者が興味をもつことが予想される物品或いは商品、又は、上記表示欄に表示されている物品或いは商品の使用者や取扱者が利用或いは参加することが予想されるサービスである上記構成の段ボール箱が挙げられる。又、前記物品或いは商品の使用者や取扱者が利用或いは参加することが予想されるサービスが、当該物品或いは商品の保守或いは管理、当該物品或いは商品に関連して必要となる保守或いは管理、当該物品或いは商品に関連するソフトウェアの提供、当該物品或いは商品に関連して生じる運用に関する企画、各種のイベント或いは旅行或いはセミナーの企画、各種学校が提供する授業、飲食物の提供である上記構成の段ボール箱が挙げられる。又、広告・宣伝欄が、更に段ボール箱の蓋の内側にも設けられている上記構成の段ボール箱が挙げられる。
【考案の効果】
【０００８】
上記構成の本考案によれば、段ボール箱に収容される商品等の提供者の広告宣伝手段として有用であるだけでなく、該提供者と異なる者が提供する、段ボール箱内の物品或いは商品とは全く異なる物品或いは商品、又は、サービスに関する広告宣伝媒体としても機能する実用価値の高い段ボール箱が提供される。更に、従来にない広告宣伝機能を有する段ボール箱を提供することで、該段ボール箱内に収容される商品等の提供者も、該提供者とは異なる物品或いは商品或いはサービスを提供する者も、段ボール箱の製造・販売業者も、何れもがそれぞれに経済的な効果を得ることが可能な、新規な宣伝広告システムを構築することができる。更に、上記段ボール箱を所有することになる所有者においても、多くの情報の中から選択された当該所有者にとって有用な情報をタイムリーに受け取って身近に置くことができるという効果が得られる。
【考案を実施するための最良の形態】
【０００９】
本考案は、前記した段ボール箱の利用現状と、近年の、宅配便等の流通手段の多様化や、インターネット等を介して行う販売形式の多様化に伴い、非常に多くの段ボール箱が、商品等を収納して運搬或いは保管するための手段に用いられている現状に鑑みて、本考案者らが鋭意検討した結果、達成したものである。
【００１０】
インターネットの発達によって、商品情報やサービス情報は、瞬時に且つ広い範囲に発信されるようになっているが、その反面、インターネットによる広告宣伝の情報量は膨大であり、個々の商品情報或いはサービス情報が与えるインパクトは希薄なものになる傾向がある。一方、インターネットと宅配便等の発達によって、消費者は、居ながらにして希望する商品を手に入れることができるシステムが構築されている。しかし、商品等の情報があまりにも膨大で、情報の変化も速く、その購買方法も多様であるため、かえって商品を選択する決断がつかなかったり、本当に希望する商品がみつけられなくなる場合も少なくない。又、商品或いはサービスの提供者側からすれば、インターネットによる広告宣伝の効果は確かに大きいものの、特に個性的な商品或いはサービスであればあるほど、その商品或いはサービスに興味をもつであろう消費者等に的を絞ってピンポイントで確実に情報を伝達することができないと感じる場合も多い。
【００１１】
本考案者らは、商品等を収容し運搬する過程で、或いはその状態で保管される過程で、更には、商品等を取り出した後に、他の物品を収容して運搬したり保管したりする過程で、段ボール箱の外側の面は、多くの人の目にとまる対象となり、更に、段ボール箱の所有者となった者に対して日常的に目にとまる対象となるという現状に着目して検討を行った。この結果、段ボール箱に、より有効な広告宣伝機能を付与すれば、これによって全く新たな宣伝広告システムの構築をも可能とできることを見いだした。
【００１２】
本考案の段ボール箱は、内部に物品或いは商品を収容するためのものであるが、箱の外側の面に、上記商品等の内容を理解させるための表示欄Ａと、該商品等の提供者とは異なる者の、該表示欄Ａに表示されている商品等と混同を生じるおそれのない異なる商品等、又は異なる者のサービスに関する少なくとも１の広告・宣伝欄Ｂとが設けられてなることを特徴とする（図１及び図２参照）。段ボール箱を上記構成とすることで、下記に述べるように、段ボール箱内に収容される商品等の提供者ａも、該提供者とは異なる商品等やサービスを提供する者ｂも、上記段ボール箱の製造・販売業者ｃも、何れもがそれぞれに経済的な効果を得ることができる宣伝広告システムを構築することが可能となる。即ち、段ボール箱内に収容される商品等の提供者ａ（以下、提供者ａ）は、別の物品或いは商品或いはサービスを提供する者ｂ（以下、提供者ｂ）からの広告料を受け取ることができ、該広告料を、商品等を収容するために必ず用いなければならない段ボール箱にかかるコストに利用することができる。一方、提供者ｂは、段ボール箱の広告・宣伝欄Ｂを利用することで、提供者ａが提供する商品等の使用者や取扱者に的を絞って確実な広告をすることができる。このため、対象を不特定とした宣伝広告の場合と比べて格段に高い反響を得ることができる。更に、これと共に、提供者ａが提供する商品等の流通に便乗した状態で宣伝広告が行えるので、単独で、上記と同程度の効果を期待しての宣伝広告を行った場合よりも格段に広告料を抑えることができる。段ボールの大きさや、広告・宣伝欄Ｂの大きさにもよるが、提供者ｂは、複数であってもよい。特に、異なる複数の業種の者が、同一の段ボール箱の広告・宣伝欄Ｂを利用することで、より高いメッセージ性を与えることも可能である。
【００１３】
更に、段ボール箱の製造・販売業者ｃ（以下、製造・販売業者ｃ）においては、下記のような効果が期待できる。製造・販売業者ｃは、通常、提供者ａの注文に応じて、段ボール箱の形状及び段ボール箱への印刷を決定して、その後に段ボール箱を製造している。段ボール箱を使用する業種は非常に多く、しかも様々であるので、製造・販売業者ｃは、多くの異なる業種との交流があり、これらの業種内に存在している多様なニーズを知ることができる立場にある。従って、製造・販売業者ｃは、提供者ａから注文された段ボール箱の製造・販売にあたり、提供者ａに対しては、段ボール箱に設ける広告・宣伝欄Ｂを提供者ｂに利用させることについて提案することができ、提供者ｂに対しては、広告宣伝媒体として、流通ルート及び所持者が予想できる段ボール箱の利用を提言することができる。このことは、製造・販売業者ｃが、これまでにはなかった価値を段ボール箱に付加できることを意味し、段ボール箱の販路拡大手段として有効に働く。更に、広告料の一部は、製造・販売業者ｃに還元されることが期待できるので、この点からも経済的なメリットを受けることができる。
【００１４】
以下、図面を参照して本考案の段ボール箱について詳細に説明する。上記表示欄Ａは、従来の段ボール箱に設けられているのと同様の、段ボール箱の内部に収容されている物品或いは商品を表示する目的のものである。これらの物品或いは商品としては、工場で製造された各種工業製品や、農場や漁場で生産された農産物や海産物、更には、各種サービス業において、サービスを供するために使用する物品や商品が挙げられる。
【００１５】
これに対し、広告・宣伝欄Ｂで宣伝広告する対象は、段ボール箱内に収容されている物品或いは商品の提供者とは異なる者の物品或いは商品、又はその者のサービスに関するものであることを一つの特徴とする。更に、広告・宣伝欄Ｂで宣伝広告する対象は、上記した表示欄Ａに表示されている物品或いは商品と混同を生じるおそれのない異なる物品或いは商品、又はその者のサービスに関するものであることを要する。このようにすることで、中味をみることのできない段ボール箱内の物品或いは商品を万が一にも誤認混同しないようにすることができる。表示欄Ａに表示されている物品或いは商品と、広告・宣伝欄Ｂで宣伝広告する商品等との誤認混同を完全に防止するためには、段ボール箱内の商品等が、表示欄Ａに記載したものであることが明瞭となるように、表示内容や広告宣伝内容のレイアウトや掲載記事等を工夫することがより好ましい。更に、この広告・宣伝欄Ｂは、段ボール箱の外側の面に少なくとも１つ設けられていればよい。勿論、段ボール箱に収容されている商品等との関係で上記の要件を満足するものであれば、広告・宣伝欄Ｂが複数設けられていてもよい。
【００１６】
本考案でいう段ボール箱の外側の面とは、段ボール箱の底面であってもよいが、通常は、段ボール箱のいずれかの側面或いは蓋の外側の面の何れかを意味する。更に、段ボール箱の外側の面に加えて、蓋の内側の面に広告・宣伝欄Ｂを設けることも好ましい形態である。広告・宣伝欄Ｂを設ける位置は、段ボール箱に収容される商品等との兼ね合いで決定することで、宣伝広告機能をより高めることもできる。例えば、商品等を収容した状態で段ボール箱が積み上げられた状態で長期間にわたって置かれることが予想される場合には、側面の何れかに広告・宣伝欄Ｂを設けることが好ましい（図１参照）。段ボール箱に収容される商品等が季節商品である場合には、季節毎に段ボール箱から出し入れすることが予想される。このような場合には、出し入れの際に必ず目にとまることとなる段ボール箱の蓋の外側或いは内側の面に広告・宣伝欄Ｂを設けることが好ましい（図２参照）。
【００１７】
上記広告・宣伝欄Ｂは、上記した要件に加えて、例えば、段ボール箱に収容されている物品或いは商品の使用者が興味をもつことが予想される商品や、段ボール箱に収容されている物品或いは商品の使用者が利用或いは参加することが予想されるサービスに関する広告・宣伝欄であることが好ましい。以下、具体的な形態を挙げて、本考案の段ボール箱、及びこれを用いることによって構築することが可能となる宣伝広告システムについて説明する。
【００１８】
例えば、段ボール箱の内部に収容されている商品が、若い女性をターゲットとした可愛らしいデザインのパソコンである場合、表示欄Ａには、そのパソコンの全体写真や型式や機能等が表示される。そして、広告・宣伝欄Ｂには、パソコンを使用する若い女性が興味をもち、購買意欲をそそられ且つパソコンと混同を生じない種類の、例えば、特に女性用に開発されたビジネスバックや家具類やサプリメント等の商品に関しての広告や、女性向きの各種学校やスポーツクラブやエステサロン等のサービスに関する広告を掲載する。更に、広告・宣伝欄Ｂに、購買期間や参加申込期間に限定があるような、若い女性をターゲットにした分譲マンション等の商品や、ツアー旅行やセミナー等のサービスに関する広告を掲載することも有効である。しかし、この場合には、段ボール箱内に収容する商品等が長期間をかけて販売等されるものであると期限切れとなる恐れもあるので、段ボール箱内に収容する商品等を、例えば、季節に応じてスポット的に売れる女性用の商品等とするように構成すれば、より高い宣伝広告効果を期待できる。上記したように、段ボール箱内に収容される商品等と、広告・宣伝欄Ｂに掲載する物品或いは商品、又はサービスとの関係を考慮して、より高い広告宣伝機能が発揮されるように構成することが好ましい。
【００１９】
その他、本考案の効果が得られる表示欄Ａに記載する物品或いは商品と、広告・宣伝欄Ｂに掲載する対象となる物品或いは商品、又はサービスの組み合わせとしては、下記のものが挙げられる。例えば、段ボール箱の内部に収容されている商品が、ベビーバギー、ベビー家具、おもちゃ等のベビー用品である場合、表示欄Ａにはベビー用品の全体写真や型式や機能等が表示されるが、広告・宣伝欄Ｂには、例えば、若い夫婦が興味をもつと考えられるワゴン車や分譲マンション等の商品の広告や、遊園地や動物園、スイミング・体操・スケート・ピアノ・英会話等の各種スクール等に関するサービスを対象とした宣伝広告を掲載すればよい。
又、例えば、表示欄Ａに記載する段ボール箱内に収納される物品が、運輸サービスを提供する宅配便の荷物である場合には、表示欄Ａには、そのサービス業者が運ぶ荷物であることを理解させるために、当該業者のロゴが表示される。この場合には、商品等の誤認を生じる恐れがないため、広告・宣伝欄Ｂには、自由な商品等或いはサービスに関する広告を掲載できる。従って、この場合には、本考案の段ボール箱を、より多様な広告宣伝媒体として機能させることが可能である。
【００２０】
上記で説明したように構成された本考案の段ボール箱を使用することで、下記のような効果が得られる。先ず、広告・宣伝欄Ｂに掲載する商品等やサービスの提供者ｂは、その者の商品等やサービスに関する広告を、見てもらいたい人にピンポイントで確実に宣伝広告を届けることが可能になる。又、これまでにない斬新な広告方法であるので、強いインパクトを与えることができる。更に、その広告料は、独自にビラやポスターを作って配布するよりも安価になる。又、段ボール箱の外面上に併存することとなる表示欄Ａに表示されている商品やサービスとの相乗効果によって、受け手に、高級、高品質、斬新、利便、安心、美麗といった、よりよい印象を与え、この点からも販路拡大の効果が期待できる、といった種々の利点を受けることができる。一方、段ボール箱内の物品或いは商品の提供者ａは、これらの運搬や保管に必須となる段ボール箱にかかる費用を、広告・宣伝欄Ｂの広告宣伝料によって一部或いは全部賄うことが可能となる。更に、段ボール箱の外面上に併存することとなる広告・宣伝欄Ｂに掲載されている商品等やサービスとの相乗効果によって、受け手に、高級、高品質、斬新、利便、安心、美麗といった、よりよい印象を与え、販路拡大の効果も期待できる。更に、段ボール箱の製造・販売業者ｃは、従来の段ボール箱に、従来になかった高い付加価値を付けることができるので、段ボール箱の販路拡大を図ることができる。更に、広告・宣伝欄Ｂに対する広告料の一部が還元されることで、広告収入による高い経済性が期待できる。
【産業上の利用可能性】
【００２１】
本考案の段ボール箱の活用の途は無限にあり、段ボール箱内の物品或いは商品の提供者にとっても、該段ボール箱の広告・宣伝欄Ｂに広告を掲載する商品等やサービスの提供者にとってもコスト削減が可能となり、又、自己の提供する商品等やサービスの販路拡大の効果も期待でき、更には、場合によっては、全く考えられない異業種間の交流によるビジネスチャンスをも期待でき、非常に実用価値の高いものである。
【図面の簡単な説明】
【００２２】
【図１】本考案の段ボール箱の一例を示す斜視図である。
【図２】本考案の段ボール箱の別の例を示す斜視図である。
【符号の説明】
【００２３】
Ａ：表示欄
Ｂ：広告・宣伝欄
【図１】
0003125628.tif 000003
【図２】
0003125628.tif 000004
【手続補正書】
【提出日】平成18年7月14日(2006.7.14)
【手続補正１】
【補正対象書類名】実用新案登録請求の範囲
【補正対象項目名】全文
【補正方法】変更
【補正の内容】
【実用新案登録請求の範囲】
【請求項１】
内部に物品或いは商品を収容するための段ボール箱であって、箱の外側の面に、上記物品或いは商品の内容を理解させるための表示欄と、上記物品或いは商品の提供者とは異なる者が提供する、上記表示欄に表示されている物品或いは商品と混同を生じるおそれのない異なる物品或いは商品、又は異なる者のサービスに関する少なくとも１の広告・宣伝欄とが設けられており、且つ、該広告・宣伝欄と上記表示欄とは、箱の外側の別々の面に、それぞれに設けられていることを特徴とする段ボール箱。
【請求項２】
前記物品或いは商品の提供者とは異なる者の、物品或いは商品、又はサービスが、上記表示欄に表示されている物品或いは商品の使用者や取扱者が興味をもつことが予想される物品或いは商品、又は、上記表示欄に表示されている物品或いは商品の使用者や取扱者が利用或いは参加することが予想されるサービスである請求項１に記載の段ボール箱。
【請求項３】
前記物品或いは商品の使用者や取扱者が利用或いは参加することが予想されるサービスが、当該物品或いは商品の保守或いは管理、当該物品或いは商品に関連して必要となる保守或いは管理、当該物品或いは商品に関連するソフトウェアの提供、当該物品或いは商品に関連して生じる運用に関する企画、各種のイベント或いは旅行或いはセミナーの企画、各種学校が提供する授業、飲食物の提供である請求項１又は２に記載の段ボール箱。
【請求項４】
前記広告・宣伝欄が、更に段ボール箱の蓋の内側にも設けられている請求項１〜３の何れか１項に記載の段ボール箱。
【手続補正２】
【補正対象書類名】明細書
【補正対象項目名】０００６
【補正方法】変更
【補正の内容】
【０００６】
上記の目的は、以下の本考案によって解決される。即ち、本考案は、内部に物品或いは商品を収容するための段ボール箱であって、箱の外側の面に、上記物品或いは商品の内容を理解させるための表示欄と、上記物品或いは商品の提供者とは異なる者が提供する、上記表示欄に表示されている物品或いは商品と混同を生じるおそれのない異なる物品或いは商品、又は異なる者のサービスに関する少なくとも１の広告・宣伝欄とが設けられており、且つ、該広告・宣伝欄と上記表示欄とは、箱の外側の別々の面に、それぞれに設けられていることを特徴とする段ボール箱である。